(57)【要約】【課題】天気情報に基づき、運転情報を設定した場合、室外の空気の清浄度や、洗濯物の乾燥により適した場所が室内にある場合など、より適切な洗濯物の乾燥手段を判断するには不十分となるおそれがある。【解決手段】洗濯乾燥機が設置されている家屋の屋外の情報を取得する室外情報取得手段と、室外情報取得手段によって取得した室外情報に基づき運転情報を設定する運転情報設定手段とを有することを特徴とする。【選択図】図６
2020092884.tif 000002
【特許請求の範囲】
【請求項１】
洗濯乾燥機が設置されている家屋の屋外の情報を取得する室外情報取得手段と、
前記室外情報取得手段によって取得した室外情報に基づき運転情報を設定する運転情報設定手段と、
を有することを特徴とする洗濯乾燥機。
【請求項２】
前記運転情報は、前記洗濯乾燥機の電源がＯＮとなったときの前記室外情報によって前記洗濯乾燥機に設定されるとともに、前記運転情報を報知する報知手段によって報知されることを特徴とする請求項１に記載する洗濯乾燥機。
【請求項３】
前記室外情報取得手段は、外気の湿度を示す外気湿度情報を取得する外気湿度情報取得手段を含み、
前記運転情報設定手段は、前記室外情報および現在の時刻を示す現在時刻情報に基づいて、前記運転情報を設定すること特徴とする請求項１または２に記載する洗濯乾燥機。
【請求項４】
さらに、室内の温度を示す室内温度情報と、室外の温度を示す室外温度情報を取得する室内外温度情報取得手段を有し、
前記運転情報設定手段は、前記室内温度情報及び前記室外温度情報に基づいて、前記運転情報を設定すること特徴とする請求項１に記載する洗濯乾燥機。
【請求項５】
前記運転情報は、前記室外情報に基づいて、前記洗濯乾燥機の乾燥運転における乾燥の程度を異ならせることを特徴とする請求項１に記載の洗濯乾燥機。
【請求項６】
前記報知手段は、さらに、前記運転情報に基づき、前記洗濯乾燥機が洗濯する洗濯物を干す場所を報知することを特徴とする請求項２記載の洗濯乾燥機。
【請求項７】
時刻を示す時刻情報を取得する時刻情報取得手段と、
天気を示す天気情報を記録する天気情報サーバから天気情報を取得する天気情報取得手段とを有し、
前記時刻情報及び前記天気情報に基づき運転情報を設定する運転情報設定手段と、
を有することを特徴とする洗濯乾燥機。
【請求項８】
洗濯乾燥機が設置されている家屋の屋外の情報を取得し、
取得した前記家屋の屋外の情報に基づき運転情報を設定することを特徴とする洗濯乾燥機制御方法。
【請求項９】
洗濯乾燥機が設置されている家屋の屋外の情報を取得する室外情報取得手段、
前記室外情報取得手段によって取得した室外情報に基づき運転情報を設定する運転情報設定手段、及び、
前記運転情報に基づき、洗濯乾燥機の制御を行う制御手段としてコンピュータを機能させることを特徴とする洗濯乾燥機制御プログラム。
【発明の詳細な説明】
【技術分野】
【０００１】
本発明は、洗濯乾燥機、洗濯乾燥機制御方法、洗濯乾燥機制御プログラムに関する。
【背景技術】
【０００２】
特許文献１には、衣類乾燥機能を有した洗濯機が、通信手段を介して、外部より提供される天気情報を入手し、入手した天気情報に基づき、洗濯機の運転情報を取得し、取得した運転情報に基づき、衣類を乾燥する洗濯機が開示されている。
【先行技術文献】
【特許文献】
【０００３】
【特許文献１】特開平１１−１４６９９１号公報
【発明の概要】
【発明が解決しようとする課題】
【０００４】
しかしながら、特許文献１において示される洗濯機は、天気情報に基づき、運転情報を設定するため、室外の空気の清浄度や、洗濯物の乾燥により適した場所が室内にある場合など、より適切な洗濯物の乾燥手段を判断するには不十分となることがあった。本発明は、かかる問題を解決する洗濯乾燥機を実現することを目的とする。
【課題を解決するための手段】
【０００５】
本発明の洗濯乾燥機は、時間を示す時間情報を取得する時間情報取得手段と、外気の湿度を示す湿度情報を取得する湿度情報取得手段と、時間情報及び湿度情報に基づき運転情報を設定する運転情報設定手段とを有することを特徴とする。
【０００６】
本発明の洗濯乾燥機制御方法は、時刻を示す時刻情報を取得し、外気の湿度を示す外気湿度情報を取得し、時刻情報及び外気湿度情報に基づき運転情報を設定することを特徴とする。
【０００７】
本発明の洗濯乾燥機制御プログラムは、時刻を示す時刻情報を取得する時刻情報取得手段、外気の湿度を示す外気湿度情報を取得する外気湿度情報取得手段、時刻情報及び前記外気湿度情報に基づき運転情報を設定する運転情報設定手段、及び、運転情報に基づき、洗濯乾燥機の制御を行う制御手段としてのコンピュータを機能させることを特徴とする。
【図面の簡単な説明】
【０００８】
【図１】第１の実施形態にかかる洗濯乾燥機外観の斜視図である。
【図２】図１の洗濯乾燥機の断面図である。
【図３】第１の実施形態における洗濯乾燥機、空気調和機、及びネットワークを含むシステム全体の制御ブロック図である。
【図４】第１の実施形態にかかる操作部の一例を示す図である。
【図５】第１の実施形態における洗濯乾燥機の制御部の機能的構成の一例を示す図である。
【図６】第１の実施形態にかかる洗濯乾燥機の処理の一例を示すフロー図である。
【図７】第1の実施形態における報知情報の例を示す図である。
【図８】第１の実施形態にかかる運転情報テーブルの例である。
【図９】第２の実施形態における洗濯乾燥機、空気調和機、気象サーバ、及びネットワークを含むシステム全体の制御ブロック図である。
【図１０】第２の実施形態における洗濯乾燥機の制御部の機能的構成の一例を示す図である。
【図１１】第２の実施形態にかかる洗濯乾燥機の処理の一例を示すフロー図である。
【図１２】第２の実施形態にかかる運転情報テーブルの例である。
【発明を実施するための形態】
【０００９】
以下、本発明の第１の実施形態について、図面を参照しつつ説明する。なお、図面については、同一又は同等の要素には同一の符号を付し、重複する説明は省略する。
【００１０】
＜第１の実施形態＞
図１は、第１の実施形態にかかる洗濯乾燥機１００外観の斜視図である。図２は、図１の洗濯乾燥機１００の断面図である。
【００１１】
まず、図１に基づいて本実施形態にかかる洗濯乾燥機１００の外部構成について説明する。洗濯乾燥機１００は、例えば、縦型洗濯乾燥機であり、筐体１０１、蓋１０２、操作パネル１０３、操作部１０４、及び表示部１０５を含む。
【００１２】
筐体１０１は、例えば、上下が開放された直方体形状に成形されている。蓋１０２は、筐体１０１の上部を覆う。蓋１０２は、筐体１０１の上部に開閉可能に取り付けられている。操作パネル１０３は、ユーザからの操作を受け付けたり、ユーザに対して各種情報を表示したりする。操作パネル１０３は、例えば、閉じられた蓋１０２に隣接するように、筐体１０１に設けられる。当該操作パネル１０３には操作部１０４、表示部１０５が設けられる。なお、洗濯乾燥機１００のうち、操作パネル１０３が設けられている側を前方と称する場合がある。操作部１０４、及び表示部１０５の詳細については後述する。
【００１３】
次に、図２に基づいて本実施形態にかかる洗濯乾燥機１００の内部構成について説明する。洗濯乾燥機１００は、筐体１０１の内部に、水槽２０１、洗濯脱水槽２０２、パルセータ２０３、モータ２０４、乾燥ユニット２０５、ヒータ２０６、送風機２０７、洗濯乾燥機制御部２０８、操作部１０４、及び表示部１０５を含む。
【００１４】
水槽２０１は、筐体１０１の内部に設けられている。水槽２０１は上面が開口し、内部に底のある円筒形状である。洗濯脱水槽２０２は上面が開口し、内部に底のある円筒形状である。水槽２０１は、洗剤を溶かした水またはすすぎ用の水（以下、洗濯水という。）を溜めたり排水時の受け皿となる。洗濯脱水槽２０２は、水槽２０１の内部に配置されており、洗濯物および洗濯水を収容する。洗濯脱水槽２０２は、水槽２０１と同軸に配置されている。
【００１５】
パルセータ２０３は、翼形状を有する。パルセータ２０３は、洗濯脱水槽２０２の内部の底に設けられる。パルセータ２０３は、回転することによって、洗濯脱水槽２０２内の洗濯水の流動を生じさせる。モータ２０４は、水槽２０１の下に設けられる。モータ２０４はパルセータ２０３及び洗濯脱水槽２０２を回転させる。
【００１６】
乾燥ユニット２０５は、例えば、筐体１０１の後方の上部に設けられる。乾燥ユニット２０５は、送風機２０７、ヒータ２０６、吸込口２０９、及び吹出口２１０を含む。吸込口２０９は、例えば、洗濯脱水槽２０２上部に開口し、洗濯脱水槽２０２内の空気を吸い込む。吹出口２１０は、ヒータ２０６によって昇温した空気を洗濯脱水槽２０２内に吹き込む。ヒータ２０６は、例えば電気ヒータである。ヒータ２０６は、吸込口２０９から吸い込んだ洗濯脱水槽２０２内の空気を昇温する。送風機２０７は、送風機２０７に繋がるモータ（図示せず）によって駆動され、洗濯脱水槽２０２内の空気を、吸込口２０９から吸い込み、ヒータ２０６に送り込み、吹出口２１０から洗濯脱水槽２０２内に吹き込む。なお、ヒータ２０６の前に除湿機構を設けてもよい。また、乾燥ユニット２０５はヒートポンプであってもよい。
【００１７】
図３は洗濯乾燥機１００、空気調和機３０１、及びネットワーク３０２を含むシステム全体の制御ブロック図である。洗濯乾燥機１００は、洗濯乾燥機制御部２０８、通信部３０４、記憶部３０５、操作部１０４、表示部１０５、音声報知部３０６、モータ２０４、送風機２０７、及びヒータ２０６を含む。洗濯乾燥機制御部２０８は通信部３０４、記憶部３０５、操作部１０４、表示部１０５、音声報知部３０６、モータ２０４、送風機２０７、及びヒータ２０６等が接続され、洗濯乾燥機１００を制御する。洗濯乾燥機１００の構成は、これらに限定されるものではない。
【００１８】
洗濯乾燥機制御部２０８は、例えばＭＣＵであって記憶部３０５に格納されるプログラムに従って各種の情報処理を実行する。モータ２０４、送風機２０７、及びヒータ２０６は、すでに述べた通りである。モータ２０４、送風機２０７、及びヒータ２０６は、駆動回路（図示せず）を介して、洗濯乾燥機制御部２０８からの信号によって駆動される。
【００１９】
図４は、操作部１０４の一例を示す。操作部１０４は、例えば、電源キー４５１、スタートキー４５２、コースキー等各種操作ボタン４５３を備えている。ユーザからの操作部１０４の入力により洗濯乾燥機制御部２０８がプログラムの実行を行う。表示部１０５は、洗濯乾燥機制御部２０８によって制御され、例えば、洗濯乾燥機１００の操作画面や動作状態を表示する。
【００２０】
通信部３０４は、ＷｉＦｉアダプタ等のネットワークインターフェースであって、ネットワーク３０２を介して、他の家電機器、例えば空気調和機３０１との間で情報の送受信を行う。
【００２１】
音声報知部３０６は、洗濯乾燥機制御部２０８から報知内容を示す報知情報を取得する。音声報知部３０６は、取得した報知情報が示すメッセージに対応した音声信号を合成し、例えば、スピーカ(図示せず)を駆動する。
【００２２】
次に、空気調和機３０１の構成について説明する。空気調和機３０１は、室内の空気を調和する機器であって、例えば、エアコンである。空気調和機３０１は、空気調和機制御部３０７、通信部３０８、外気ＰＭ２．５センサ３０９、外気湿度センサ３１０、室内温度センサ３１１、及び室外温度センサ３１２を含む。空気調和機制御部３０７は通信部３０８、外気ＰＭ２．５センサ３０９、外気湿度センサ３１０、室内温度センサ３１１、及び室外温度センサ３１２等が接続される。この空気調和機３０１の構成は、これらに限定されるものではない。なお、通信部３０８は、上記通信部３０４と同様であるので説明を省略する。
【００２３】
外気ＰＭ２．５センサ３０９は、空気中のＰＭ２．５の濃度（以下、ＰＭ２．５値という。）を検知するセンサであって、ＰＭ２．５値を表わすＰＭ２．５情報を出力する。外気ＰＭ２．５センサ３０９は、空気中のＰＭ２．５の濃度に限らず、空気の汚れ具合を検出するセンサが含まれる。外気ＰＭ２．５センサ３０９は室外に設けられ、例えば、エアコンの室外機に設けられる。
【００２４】
外気湿度センサ３１０は、空気中の湿度を検知する湿度センサであって、外気の空気中の湿度（以下、外気湿度という。）を表わす外気湿度情報を出力する。外気湿度センサ３１０は、室外に設けられ、例えば、エアコンの室外機に設けられる。
【００２５】
室内温度センサ３１１は、室内の空気の温度（以下、室内の空気の温度を室内温度という。）を検知する温度センサであって、室内の空気の温度を示す室内温度情報を出力する。また、室外温度センサ３１２は、室外の空気の温度（以下、室外の空気の温度を室外温度という。）を検知する温度センサであって、室外の空気の温度を表わす室外温度情報を出力する。例えば、室内温度センサ３１１はエアコンの室内機に設けられ、室外温度センサ３１２はエアコンの室外機に設けられる。なお、通信部３０８は、通信部３０４と同様の構成であるため、説明を省略する。
【００２６】
図３に示した洗濯乾燥機１００、空気調和機３０１、及びネットワークの制御ブロックは、一例であって、これに限定されるものではない。
【００２７】
図５は、本実施形態における洗濯乾燥機１００の洗濯乾燥機制御部２０８の機能的構成の一例を示す図である。図５に示すように、洗濯乾燥機１００の洗濯乾燥機制御部２０８は、例えば、機能ブロックとして、外気ＰＭ２．５情報取得判定手段４０１、時刻情報取得判定手段４０２、外気湿度取得判定手段４０３、室内外温度取得判定手段４０４、省エネモード判定手段４０５、運転情報設定手段４０７、報知手段４０８、入力キー判定手段４０９、洗濯乾燥手段４１０を含む。
【００２８】
省エネモード判定手段４０５は、選択されているモードを判定する。この選択されているモードとは、本実施形態においては、省エネモードと通常モードのいずれかである。これらの各モードは、一例として、工場出荷時に初期値として、記憶部３０５に設定され、操作部１０４でユーザにより設定変更可能に構成される。
【００２９】
省エネモードは、洗濯乾燥機１００の乾燥機能の運転を抑制するように構成された運転情報を設定するモードである。一方、通常モードは、洗濯乾燥機１００の乾燥機能の運転を抑制しないように構成された運転情報を設定するモードである。
【００３０】
運転情報設定手段４０７は、後述の各判定手段が出力した判定結果基づいて、運転情報を設定する。具体的には、運転情報設定手段４０７は、外気ＰＭ２．５情報取得判定手段４０１が出力した判定結果、時刻情報取得判定手段４０２が出力した判定結果、外気湿度取得判定手段４０３が出力した判定結果、室内外温度取得判定手段４０４が出力した判定結果、および、入力キー判定手段４０９が出力した判定結果に基づき、運転情報を設定する。
【００３１】
運転情報は、例えば、「標準」、「部屋干し」、「洗濯のみ」である。洗濯乾燥手段４１０は、運転情報に基づいて、洗濯、乾燥を行う。より具体的には、洗濯乾燥手段４１０は、例えば運転情報が「標準」の場合には、洗濯乾燥機１００のモータ２０４等を制御し、洗濯脱水槽２０２内に投入された洗濯物を洗濯及び脱水を行った後、乾燥ユニット２０５を動作させ、例えば、洗濯物を、着用できるまで乾燥させる。また、洗濯乾燥手段４１０は、例えば、運転情報が「洗濯のみ」の場合には、例えば、洗濯及び脱水を行い、乾燥ユニット２０５を動作させない。さらに、洗濯乾燥手段４１０は、例えば、「部屋干し」の場合には、例えば、洗濯及び脱水を行い、乾燥ユニット２０５を短時間動作させ、洗濯物を「標準」までは乾燥させないが、「洗濯のみ」より乾燥させる。また、乾燥の際には、洗濯乾燥手段４１０は、乾燥ユニット２０５の送風機２０７とヒータ２０６を駆動する。送風機２０７の駆動により洗濯脱水槽２０２内の空気が乾燥ユニット２０５の吸込口２０９から吸い込まれる。吸い込まれた空気は、ヒータ２０６によって昇温され、吹出口２１０から洗濯脱水槽２０２内に吹き込まれる。これにより、洗濯脱水槽２０２内の空気が昇温され、洗濯物の乾燥が行われる。なお、乾燥する際には、洗濯脱水槽２０２、パルセータ２０３を回転させてもよい。
【００３２】
外気ＰＭ２．５情報取得判定手段４０１は、外気ＰＭ２．５の濃度（以下、ＰＭ２．５値という。）に基づいて、ＰＭ２．５値が、予め設定した閾値よりも低いか否かを判定する。具体的には、外気ＰＭ２．５情報取得判定手段４０１は、ネットワーク３０２を介して、室外に設けられた空気調和機３０１、例えば、エアコンの室外機（図示せず）に設けた外気ＰＭ２．５センサ３０９が検知した空気中のＰＭ２．５値を表わす外気ＰＭ２．５情報を取得する。そして、外気ＰＭ２．５情報取得判定手段４０１は、ＰＭ２．５値が、予め設定した閾値より低いか否かを判定する。予め設定した閾値は、例えば、記憶部３０５から取得され、工場出荷時にプログラムされる。外気ＰＭ２．５情報取得判定手段４０１が、ＰＭ２．５値が、予め設定した閾値以上と判定した場合、運転情報設定手段４０７は、省エネモードおよび通常モードのいずれの場合も、運転情報を「標準」に設定する。この場合、ＰＭ２．５値が予め設定した閾値以上なので、室外あるいは室内に洗濯物を干すと、洗濯物がＰＭ２．５によって汚れるおそれがある。運転情報を「標準」に設定することで洗濯物がＰＭ２．５によって汚れることを防止し得る。
【００３３】
時刻情報取得判定手段４０２は、例えば、現在の時刻を表わす時刻情報を取得し、この時刻情報に基づいて、昼か夜かを判定する。具体的には、例えば、洗濯乾燥機制御部２０８に設けられた時計部（図示せず）やネットワーク３０２を介した他の機器から時刻情報を取得する。そして、時刻情報取得判定手段４０２は、取得した時刻情報が示す現在の時刻に基づいて、現在が昼か夜かを判定する。時刻情報取得判定手段４０２は、現在の時刻が、例えば、午前８時から午後６時の場合には昼と判定し、一方午前８時から午後６時以外の場合には夜であると判定する。時刻情報取得判定手段４０２が夜と判定した場合、運転情報設定手段４０７は、省エネモードの場合には、運転情報を「部屋干し」に設定し、通常モードの場合には、運転情報を「標準」に設定する。夜に洗濯物を室外に干した場合に、洗濯物が乾きにくく、むしろ露が付いてしまうおそれがある。室外に洗濯物を干す可能性がある「洗濯のみ」に運転情報が設定されることを避けることで、洗濯物が乾燥しない状態で放置されることを防止し得る。
【００３４】
外気湿度取得判定手段４０３は、例えばネットワーク３０２を介して外気湿度センサ３１０から取得した外気湿度を示す外気湿度情報に基づいて、予め設定した閾値より低いか否かを判定する。具体的には、外気湿度取得判定手段４０３は、時刻情報取得判定手段４０２の判定結果が昼の場合に、外気湿度情報に基づいて、予め設定した閾値より低いか否かを判定する。予め設定した閾値は、例えば、記憶部３０５から取得される。そして、外気湿度取得判定手段４０３が外気湿度情報が示す外気湿度が予め設定した閾値以上と判定した場合、運転情報設定手段４０７は、省エネモードの場合には、運転情報を「部屋干し」に設定し、通常モードの場合には、運転情報を「標準」に設定する。室外の湿度が高いときとは、室外が雨天または雨天となりそうなときであり、洗濯物を室外に干した場合、乾燥ユニット２０５を動作させて乾燥させる場合よりも乾燥に時間を要するおそれがある。室外に洗濯物を干すことを予定する「洗濯のみ」に運転情報が設定されることを避け、「部屋干し」または「標準」に運転情報を設定することで、洗濯物の乾燥時間を短くし得る。なお、この閾値は、上記省エネモード判定手段４０５の判定結果により異なる。つまり、この閾値は、例えば、通常モードの場合には、例えば４０％であり、省エネモードの場合では例えば７０％である。このように閾値を省エネモードで高く設定することにより、上記の例の場合、省エネモードにおいては外気湿度が７０％以下では運転情報「部屋干し」で乾燥させる運転をせず、運転情報「洗濯のみ」で乾燥させる運転をするため、その乾燥させる運転をしない分の省エネ効果が得られる。
【００３５】
室内外温度取得判定手段４０４は、室内温度情報及び室外温度情報に基づいて、室外温度が室内温度より高いか否かを判定する。具体的には、室内外温度取得判定手段４０４は、ネットワーク３０２を介して、室内温度センサ３１１が検知した室内の温度を表わす室内温度情報と、室外温度センサ３１２が検知した室外の温度を表わす室外温度情報を取得する。次に室内外温度取得判定手段４０４は、取得した室内温度情報が示す室内温度と、取得した室外温度情報が示す室外温度を比較し、室外温度が室内温度より高いか否かを判定する。そして、室内外温度取得判定手段４０４が否と判定した場合、運転情報設定手段４０７は、省エネモードの場合には、運転情報を「部屋干し」に設定し、通常モードの場合には、運転情報を「標準」に設定する。さらに、室内外温度取得判定手段４０４が、室外温度が室内温度より高いと判定したときに、省エネモードおよび通常モードのいずれの場合にも、運転情報設定手段４０７は、運転情報を「洗濯のみ」に設定する。
【００３６】
なお、省エネモード判定手段４０５の判定結果が通常モードである場合に、室内外温度取得判定手段４０４は、室内温度を用いず、室外温度が予め設定した閾値、例えば、２８℃より高いか否かで判定してもよい。通常モードである場合、室内に洗濯物を干すことを前提とする運転情報を「部屋干し」に設定することはないので、室外温度に基づき運転情報を設定してもよい。この場合、室外温度が予め設定した閾値より高いと判定した場合には、運転情報設定手段４０７は、運転情報を「洗濯のみ」に設定する。一方、室外温度が予め設定した閾値以下と判定した場合には、運転情報設定手段４０７は、運転情報を「標準」に設定する。
【００３７】
報知手段４０８は、運転情報設定手段４０７が、運転情報を設定した後、設定した運転情報に関連付けされた報知情報が示すメッセージを、ユーザに報知する。具体的には、報知手段４０８は、例えば、記憶部３０５から運転情報に関連付けされた報知情報を取得し、音声報知部３０６に送る。報知情報は、例えば、予め工場出荷時に記憶部３０５にプログラムされる。そして、音声報知部３０６は、報知情報が示すメッセージ、例えば「洗濯だけにしては、如何でしょうか。」を発声する。さらに報知情報が示すメッセージに洗濯物を干す場所を示唆するメッセージを含めてもよい。例えば「洗濯だけにして、外に干しては如何でしょうか。」とする。図７に運転情報に関連付けられた報知情報の一例を示す。
【００３８】
なお、ユーザに報知する方法としては、表示部１０５に表示しても良く、ネットワーク３０２を介してスマートフォンに表示させてもよい。さらに、報知情報には、各判定手段がした判定結果に関連付けされたメッセージを含んでも良い。例えば、室内外温度取得判定手段４０４の判定結果が、室外温度が室内温度より高いであり、外気湿度取得判定手段４０３の判定結果が予め設定した閾値より低いであり、省エネモード判定手段４０５の判定結果が省エネモードである場合には、報知情報が示すメッセージを「外の空気も暖かく、湿度も低いです。省エネモード設定ですので、洗濯だけにして、外に干しては如何でしょうか。」としてもよい。
【００３９】
入力キー判定手段４０９は、運転情報設定手段４０７で設定された運転情報に基づいて運転を行うか否かの判定を行う。例えば、まず、入力キー判定手段４０９は、押された操作部１０４のキーが、所定のキー、例えば「スタート」と表示されたキー（以下、スタートキーという。）が押されたか、所定の他のキー、例えば「コース」と表示されたキー（以下、コースキーという）が押されたかを判定する。そして、入力キー判定手段４０９は、スタートキーが押されたと判定した場合、運転情報設定手段４０７で設定された運転情報に基づく運転を開始するように洗濯乾燥手段４１０に指示する。一方、入力キー判定手段４０９は、コースキーが押されたと判定した場合、運転情報設定手段４０７で設定される運転情報を、例えば、コースキーが押された回数に応じて、１回押された場合に「標準」に、２回押された場合に「部屋干し」に、３回押された場合に「洗濯のみ」に設定すると判定する。そして、運転情報設定手段４０７は、上記入力キー判定手段４０９の判定結果に基づいて、運転情報を設定する。つまり、コースキーが押された場合は、ユーザによる運転情報の設定となる。
【００４０】
そして、洗濯乾燥手段４１０は、入力キー判定手段４０９による運転を開始の指示を受けて、運転情報設定手段４０７が設定した運転情報に基づき、洗濯、乾燥を行う。
【００４１】
上記の図５に示した各機能ブロックは、一例であって、これに限定されるものではない。
【００４２】
図６は、本実施形態にかかる洗濯乾燥機１００の処理の一例を示すフロー図である。
【００４３】
図６に示すように、まず、洗濯乾燥機１００の電源がＯＮされると、省エネモード判定手段４０５は、選択されているモードが省エネモードと通常モードのいずれかを判定する（ステップＳ１０１）。
【００４４】
次に、外気ＰＭ２．５情報取得判定手段４０１は、ＰＭ２．５値に基づいて、ＰＭ２．５値が、予め設定した閾値よりも低いか否かを判定する（ステップＳ１０２、Ｓ１０８）。具体的には、外気ＰＭ２．５情報取得判定手段４０１は、室外に設けられた空気調和機３０１、例えば、エアコンの室外機（図示せず）に設けた外気ＰＭ２．５センサ３０９が検知した空気中のＰＭ２．５値を表わす外気ＰＭ２．５情報を取得する。そして、外気ＰＭ２．５情報取得判定手段４０１は、ＰＭ２．５値が、予め設定した閾値より低いか否かを判定する。外気ＰＭ２．５情報取得判定手段４０１が、否と判定した場合（ステップＳ１０２、Ｓ１０８におけるＮＯの場合）、運転情報設定手段４０７は、省エネモードおよび通常モードのいずれの場合も、運転情報を「標準」に設定する（ステップＳ１１２）。
【００４５】
一方、ステップＳ１０２において、ＰＭ２．５値は予め設定した閾値より低いと外気ＰＭ２．５情報取得判定手段４０１が判定すると（ステップＳ１０２におけるＹＥＳの場合）、時刻情報取得判定手段４０２は、例えば、昼か夜かを判定する。例えば、洗濯乾燥機制御部２０８に設けられた時計部（図示せず）から現在の時刻情報を取得し、現在の時刻情報に基づいて、現在が昼か夜かを判定する。時刻情報取得判定手段４０２が夜と判定した場合（ステップＳ１０３における夜の場合）、運転情報設定手段４０７は、運転情報を「部屋干し」に設定する（ステップＳ１０６）。
【００４６】
一方、ステップＳ１０３において、現在の時刻情報が、昼であると判定した場合（ステップＳ１０３の昼の場合）、外気湿度取得判定手段４０３は、例えば、外気湿度センサ３１０から取得した外気湿度を示す外気湿度情報に基づいて、予め設定した閾値、例えば７０％より低いか否かを判定する（ステップＳ１０４）。そして、外気湿度取得判定手段４０３が否と判定した場合（ステップＳ１０４におけるＮＯの場合）、運転情報設定手段４０７は、運転情報を「部屋干し」に設定する（ステップＳ１０６）。
【００４７】
一方、ステップＳ１０４において、外気湿度情報が示す外気湿度が予め設定した閾値、例えば７０％より低いと外気湿度取得判定手段４０３が判定した場合（ステップＳ１０４のＹＥＳの場合）、室内外温度取得判定手段４０４は、室内温度情報及び室外温度情報に基づいて、室外温度が室内温度より高いか否かを判定する（ステップＳ１０５）。具体的には、室内外温度取得判定手段４０４は、室内温度センサ３１１が検知した室内の温度を表わす室内温度情報と、室外温度センサ３１２が検知した室外の温度を表わす室外温度情報を取得する。次に、室内外温度取得判定手段４０４は、取得した室内温度情報が示す室内温度と、取得した室外温度情報が示す室外温度を比較し、室外温度が室内温度より高いか否かを判定する。そして、室内外温度取得判定手段４０４が否と判定した場合（ステップＳ１０５におけるＮＯの場合）、運転情報設定手段４０７は、運転情報を「部屋干し」に設定する（ステップＳ１０６）。一方、室外温度が室内温度より高いと判定した場合（ステップＳ１０５におけるＹＥＳの場合）に、運転情報設定手段４０７は、運転情報を「洗濯のみ」に設定する（ステップＳ１０７）。
【００４８】
上記ステップＳ１０８において、ＰＭ２．５値は予め設定した閾値以上であると外気ＰＭ２．５情報取得判定手段４０１が判定すると（ステップＳ１０８におけるＹＥＳの場合）、ステップＳ１０３と同様に、時刻情報取得判定手段４０２は、現在の時刻情報が、昼か夜かを判定する（ステップＳ１０９）。時刻情報取得判定手段４０２が夜と判定した場合（ステップＳ１０９における夜の場合）、運転情報設定手段４０７は、運転情報を「標準」に設定する（ステップＳ１１２）。
【００４９】
一方、ステップ１０９において、時刻情報取得判定手段４０２が出力した判定結果が、昼の場合（ステップＳ１０９における昼場合）には、ステップＳ１０４と同様に、外気湿度取得判定手段４０３は、例えば、外気湿度センサ３１０から取得した外気湿度を示す外気湿度情報に基づいて、予め設定した閾値、例えば４０％より低いか否かを判定する（ステップＳ１１０）。そして、外気湿度取得判定手段４０３が否と判定した場合（ステップＳ１１０おけるＮＯ）、運転情報設定手段４０７は、運転情報を「標準」に設定する（ステップＳ１１２）。
【００５０】
一方、ステップＳ１１０において、外気湿度取得判定手段４０３が出力した判定結果が、外気湿度が予め設定した閾値より低い場合（ステップＳ１１０におけるＹＥＳ）には、ステップＳ１０５と同様に、室内外温度取得判定手段４０４は、室内温度情報及び室外温度情報に基づいて、室外温度が室内温度より高いか否かを判定する（ステップＳ１１１）。そして、室内外温度取得判定手段４０４が否と判定した場合（ステップＳ１１１におけるＮＯの場合）、運転情報設定手段４０７は、運転情報を「標準」に設定する（ステップＳ１１２）。一方、室外温度が室内温度より高いと判定した場合（ステップＳ１１１におけるＹＥＳの場合）に、運転情報設定手段４０７は、運転情報を「洗濯のみ」に設定する（ステップＳ１１３）。
【００５１】
ステップＳ１０６、ステップＳ１０７、ステップＳ１１３、ステップＳ１１２、及び後述するステップＳ１１７において、運転情報設定手段４０７が、運転情報を設定した後、報知手段４０８は、設定した運転情報に関連付けされた報知情報が示すメッセージを、ユーザに報知する（ステップＳ１１４）。具体的には、報知手段４０８は、例えば、記憶部３０５から運転情報に関連付けされた報知情報を取得し、音声報知部３０６に送る。そして、音声報知部３０６は、例えば、報知情報が示すメッセージ「洗濯だけにして、外に干しては如何でしょうか。」を発声する。
【００５２】
次に、入力キー判定手段４０９は、運転情報設定手段４０７で設定された運転情報に基づいて運転を行うか否かの判定を行う（ステップＳ１１５）。例えば、まず、入力キー判定手段４０９は、押された操作部１０４のキーが、所定のキーが押されたか、所定の他のキーが押されたかを判定する。そして、入力キー判定手段４０９は、所定のキー（例えば、「スタート」表示されている。）が押されたと判定した場合（ステップＳ１１５におけるＹＥＳ）、運転情報設定手段４０７で設定された運転情報に基づく運転を開始するように洗濯乾燥手段４１０に指示する。そして、洗濯乾燥手段４１０は、入力キー判定手段４０９による運転を開始の指示を受けて、運転情報設定手段４０７が設定した運転情報に基づき、洗濯、乾燥を行う（Ｓ１１６）。そして、洗濯乾燥機１００は、動作を終了する。
【００５３】
一方、入力キー判定手段４０９が、所定の他のキー（例えば「コース」と表示されている。）が押されたと判定した場合（ステップＳ１１５におけるＮＯ）、運転情報設定手段４０７で設定される運転情報を、例えば、コースキーが押された回数に応じて、１回押された場合に「標準」に、２回押された場合に「部屋干し」に、３回押された場合に「洗濯のみ」に設定すると判定する。そして、運転情報設定手段４０７は、上記入力キー判定手段４０９の判定結果に基づいて、運転情報を設定し（ステップＳ１１７）、上記ステップＳ１１４に進む。
【００５４】
上記は図６に示した洗濯乾燥機１００の処理は、一例であって、これに限定されるものではない。
【００５５】
本実施形態によれば、洗濯乾燥機１００は、空気調和機３０１等から外気湿度他を示す情報を取得し、取得した情報に基づき運転情報を設定する。これにより、洗濯乾燥機１００の周囲環境から洗濯物の乾燥に適した運転情報をユーザに提案することができる洗濯乾燥機を実現することができる。
【００５６】
また、図６に示した洗濯乾燥機１００の処理を、洗濯乾燥機１００の電源がＯＮされたときに行うため、ユーザが洗濯物の洗濯や乾燥を実行するときの洗濯乾燥機１００の周囲環境から判断して、洗濯物の乾燥に適した運転情報を提案する。したがって、ユーザが洗濯乾燥機１００の乾燥機能の運転モードを好みの運転モード（省エネモードか通常モード）に予め設定しておけば、洗濯乾燥機１００によって好みの運転モード及び周囲環境から最適な乾燥コースに係る運転情報を設定するので、ユーザはスタートキーを押すだけで、その時々に応じた最適な乾燥コースにて洗濯物の洗濯、乾燥を行うことができる。
【００５７】
なお、本実施形態は、種々の変形が可能である。例えば、上述の構成と実質的に同一の構成、同一の作用効果を奏する構成又は同一の目的を達成することができる構成で置き換えることができる。例えば、ステップＳ１０３、ステップＳ１０４、ステップＳ１０５は順序を入れ替えて判定してもよい。またステップＳ１０９，ステップＳ１１０、ステップＳ１１１も順序を入れ替えて判定してもよい。また、上記は、空気調和機３０１はエアコンの例で説明したがこれに限定されるものではなく、例えば、室内温度情報は、空気清浄機に設けられた温度センサから取得しても良い。さらに、上記ではＰＭ２．５を例に説明したが、洗濯物を汚す恐れのある物質、例えば、花粉であってもよい。
【００５８】
また、上記では、各判定手段で順次判定し、各判定手段の判定結果に基づき運転情報を設定した例で説明したが、これに限定されるものではない。例えば、各判定手段が出力した判定結果を一括して運転情報設定手段に入力し、各判定手段の判定結果に関連付けられた運転情報を運転情報テーブルとして保持し、各判定手段が出力した判定結果に基づき運転情報テーブルを参照して、運転情報を設定するように構成してもよい。図８は、運転情報テーブルの一例である。図８（ａ）は省エネモード用運転情報テーブル、図８（ｂ）は通常モード用運転情報テーブルである。
＜第２の実施形態＞
【００５９】
図９は第２の実施形態にかかる、洗濯乾燥機１００、空気調和機３０１、気象サーバ５０１及びネットワーク３０２を含むシステム全体の制御ブロック図である。第１の実施形態とは異なり、気象サーバ５０１が加わる点が異なるが、他は第１の実施形態と同様である。
【００６０】
気象サーバ５０１は、気象サーバ制御部５０２、通信部５０３、記憶部５０４を含む。
【００６１】
気象サーバ制御部５０２は、例えばＣＰＵであって記憶部５０４に格納されるプログラムに従って各種の情報処理を実行する。通信部５０３は、ＬＡＮアダプタ等のネットワークインターフェースであって、ネットワーク３０２を介して、他の家電機器、例えば洗濯乾燥機１００との間で情報の送受信を行う。記憶部５０４は、例えば、ハードディスクであって、プログラム及びデータ、例えば、地域別の天気を示す天気情報が記録される。なお、気象サーバ５０１の構成はこれに限定されるものではない。
【００６２】
図９に示した洗濯乾燥機１００、空気調和機３０１、気象サーバ５０１及びネットワーク３０２の制御ブロックは、一例であって、これに限定されるものではない。
【００６３】
図１０は、第２の実施形態にかかる洗濯乾燥機１００の制御部の機能的構成の一例を示す図である。図１０に示すように、本実施形態の洗濯乾燥機１００の洗濯乾燥機制御部２０８は、さらに、例えば、天気情報取得判定手段６０１を含む点及び運転情報設定手段４０７がさらに取得した天気情報に基づき運転情報を設定する点が第１の実施形態と異なる。
【００６４】
天気情報取得判定手段６０１は、まず気象情報を提供する気象サーバ５０１にアクセスし、洗濯乾燥機１００が存する地域の天気を表わす天気情報を取得する。具体的には、例えば、洗濯乾燥機１００の天気情報取得判定手段６０１は、ネットワーク３０２を介して、気象サーバ５０１に対し、洗濯乾燥機１００が存する地域を示す地域情報を送る。気象サーバ５０１には、地域情報に関連付けされ天気情報が、例えば記憶部５０４に保持されている。地域情報を取得した、気象サーバ５０１は、取得した地域情報に基づき気象情報を取得し、ネットワーク３０２を介して、洗濯乾燥機１００に対し、天気情報を送る。そして、洗濯乾燥機１００の天気情報取得判定手段６０１は天気情報を取得する。
【００６５】
次に天気情報取得判定手段６０１は、取得した天気情報が示す天気が、予め設定した天気（洗濯物の乾燥に適した天気）と一致するか否かを判定する。例えば、省エネモードのときには「晴」または「曇」か否かを判定する。通常モードのときには「晴」か否かを判定する。予め設定した天気は、例えば、記憶部３０５から取得され、記憶部３０５には、例えば、工場出荷時にプログラムされる。天気情報取得判定手段６０１は、取得した天気情報が示す天気が予め設定した天気の場合には、天気情報が示す天気は予め設定した天気であると判定する。取得した天気情報が示す天気が予め設定した天気ない場合には、天気情報が示す天気は予め設定した天気でないと判定し、運転情報設定手段４０７は運転情報を「部屋干し」または「標準」に設定する。室外に洗濯物を干すことを予定する運転情報「洗濯のみ」に設定しないことで、洗濯物が雨に濡れたり、あるいは乾燥に時間を要することを避けることができ得る。
【００６６】
なお、省エネモードのときの予め設定した天気を、通常モードのときに比べ、天気が悪い曇りまで含めて設定することで、通常モードの場合に、運転情報「標準」に設定される天気、例えば曇の場合でも、省エネモードの場合には、洗濯乾燥機１００消費電力が少ない運転情報、例えば「洗濯のみ」に設定される。その乾燥させる運転をしない分の省エネ効果が得られる。
【００６７】
上記は図１０に示した洗濯乾燥機１００の機能ブロックは、一例であって、これに限定されるものではない。
【００６８】
図１１は、第２の実施形態にかかる処理の一例を示すフロー図である。図１１に基づいて本実施形態おける洗濯乾燥機１００が実行する動作の流れの一例について説明する。第２の実施形態は、さらに、気象サーバ５０１から、洗濯乾燥機１００が存する地域の「晴」、「曇」、「雨」などの天気を示す天気情報を取得する点、及びさらに取得した天気情報に基づいて、運転情報を設定する点が第１の実施形態と異なる。
【００６９】
まず、洗濯乾燥機１００の電源がＯＮされると、第１の実施形態と同様に省エネモードか、通常モードかを判定し（ステップＳ２０１）、ＰＭ２．５値は閾値より低いかを判定し（ステップＳ２０２、Ｓ２０９）、現在の時刻が昼か夜かを判定（ステップＳ２０３）する。
【００７０】
そして、ステップＳ２０３において、時刻情報取得判定手段４０２が、昼と判定した場合には、天気情報取得判定手段６０１は、まず気象情報を提供する気象サーバ５０１にアクセスし、洗濯乾燥機１００が存する地域の天気を表わす天気情報を取得する。次に天気情報取得判定手段６０１は、取得した天気情報が示す天気が、予め設定した天気と一致するか否かを判定する（ステップＳ２０４）。例えば、「晴」または「曇」か否かを判定する。天気情報取得判定手段６０１の判定結果が、取得した天気情報が示す天気は予め設定した天気と一致しない場合（ステップＳ２０４におけるＮＯ）には、運転情報設定手段４０７は運転情報を「部屋干し」に設定する。（ステップＳ２０７）。
【００７１】
一方、ステップＳ２０４において、天気情報取得判定手段６０１が出力した判定結果が予め設定した天気である場合には、次に第1の実施形態と同様に、室内温度が室内温度より高いか否かを判定し（ステップＳ２０５）、外気湿度が予め設定した閾値より低いか否かを判定する（ステップＳ２０６）。
【００７２】
そして、ステップＳ２０３において時刻情報取得判定手段４０２の判定結果が夜である場合、ステップＳ２０４において天気情報取得判定手段６０１の判定結果が取得した天気情報が示す天気が予め設定した天気ではない場合、ステップＳ２０５において室内外温度取得判定手段４０４の判定結果が室外温度が室内温度以下である場合、またはステップＳ２０６において外気湿度取得判定手段４０３の判定結果が取得した外気湿度情報が示す湿度が予め設定した閾値以上である場合には、運転情報設定手段４０７は、運転情報を「部屋干し」に設定する（ステップＳ２０７）。
【００７３】
一方、ステップＳ２０３において時刻情報取得判定手段４０２の判定結果が昼の場合、ステップＳ２０４において天気情報取得判定手段６０１の判定結果が取得した天気情報が示す天気が予め設定した天気である場合、ステップＳ２０５において室内外温度取得判定手段４０４の判定結果が室外温度が室内温度より高いである場合、及びステップＳ２０６において外気湿度取得判定手段４０３の判定結果が取得した外気湿度情報が示す湿度が予め設定した閾値より低いである場合には、運転情報設定手段４０７は、運転情報を「洗濯のみ」に設定する（ステップＳ２０８）。
【００７４】
一方上記ステップＳ２０９において、外気ＰＭ２．５情報判定手段が出力した判定結果がＰＭ２．５値は閾値より低いである場合は（ステップＳ２０９におけるＹＥＳ）、ステップＳ２０３、ステップＳ２０４、ステップＳ２０５、ステップＳ２０６と同様に、ステップＳ２１０で昼か夜かを判定し、ステップＳ２１１で天気が予め設定した天気であるか否か判定し、ステップＳ２１２で室外温度が室内温度より高いか否かを判定し、ステップＳ２１３で外気湿度が所定の閾値より低いか否かを判定する。なお、ステップＳ２１１において、天気情報取得判定手段６０１が、判定するために用いる予め設定した天気は、例えば晴に設定される。
【００７５】
そして、ステップＳ２１０において時刻情報取得判定手段４０２の判定結果が夜である場合、ステップＳ２１１において天気情報取得判定手段６０１の判定結果が取得した天気情報が示す天気が予め設定した天気ではない場合、ステップＳ２１２において室内外温度取得判定手段４０４がの判定結果が室外温度が室内温度以下である場合、またはステップＳ２１３において外気湿度取得判定手段４０３の判定結果が取得した外気湿度情報が示す湿度が予め設定した閾値以上である場合には、運転情報設定手段４０７は、運転情報を「標準」に設定する（ステップＳ２１４）。
【００７６】
一方、ステップＳ２１０において時刻情報取得判定手段４０２の判定結果が昼である場合、ステップＳ２１１において天気情報取得判定手段６０１の判定結果が取得した天気情報が示す天気が予め設定した天気である場合、ステップＳ２１２において室内外温度取得判定手段４０４の判定結果が室外温度が室内温度より高いである場合、及びステップＳ２１３において外気湿度取得判定手段４０３の判定結果が取得した外気湿度情報が示す湿度が予め設定した閾値より低いである場合には、運転情報設定手段４０７は、運転情報を「洗濯のみ」に設定する（ステップＳ２１５）。
【００７７】
運転情報設定手段４０７が、運転情報を設定した以降は、第１の実施形態と同様である。
【００７８】
上記は図１１に示した洗濯乾燥機１００の処理は、一例であって、これに限定されるものではない。
【００７９】
本実施形態によれば、気象サーバ５０１から天気情報を取得することで、天気情報が示す天気が例えば雨の場合には運転情報を「部屋干し」または「標準」設定し、洗濯物を雨で濡らすことを避け得る。これにより、洗濯乾燥機１００の周囲環境だけでなく、気象サーバ５０１からの天気情報も加味して判断することができる。例えば、洗濯乾燥機１００の電源がＯＮされたときの室外環境は乾燥に適しているが、数時間後には雨が降るなどの予報情報があれば、洗濯物が乾ききらないうちに雨に濡らされるといったことを回避できる。また、洗濯運転開始時は室外環境は乾燥に適していないが、今後気温が上がるなどの天気情報があれば、洗濯物を乾燥する時点では室外環境は乾燥に適していると判断することが可能となる。
【００８０】
本実施形態は、種々の変形が可能である。例えば、第１の実施形態と同様に、上記では、各判定手段で順次判定し、各判定手段の判定結果に基づき運転情報を設定した例で説明したが、これに限定されるものではない。例えば、各判定手段が出力した判定結果を一括して運転情報設定手段に入力し、各判定手段の判定結果に関連付けられた運転情報を運転情報テーブルとして保持し、各判定手段が出力した判定結果に基づき運転情報テーブルを参照して、運転情報を設定するように構成してもよい。図１２は、運転情報テーブルの一例である。図１２（ａ）は省エネモード用運転情報テーブル、図１２（ｂ）は通常モード用運転情報テーブルである。
【００８１】
本発明は、種々の変形が可能である。例えば、上述の構成と実質的に同一の構成、同一の作用効果を奏する構成又は同一の目的を達成することができる構成で置き換えることができる。
【００８２】
上記では、空気調和機３０１、例えば、エアコンの例で説明したが、さらに、浴室を乾燥させる浴室乾燥機含んでもよい。洗濯乾燥機制御部２０８は、浴室乾燥機の運転情報を表わす浴室乾燥機運転情報を取得して、取得した浴室乾燥機運転情報に基づき洗濯乾燥機の運転情報を設定してもよい。浴室乾燥機運転情報は、例えば、浴室乾燥機の設定温度を示す設定温度、連続運転しているか否か、あるいは２時間以上運転するようにタイマが設定されて運転されているか否かなどを表わす情報を含む。取得した動作情報が洗濯物を乾燥させるに十分な条件、例えば、浴室乾燥機の設定温度が室外温度より高く、２時間以上運転するようにタイマが設定されて運転または連続運転されている場合には、運転情報設定手段４０７は、運転情報を「洗濯のみ」と設定してもよい。運転情報「洗濯のみ」で乾燥させる運転をするため、その乾燥させる運転をしない分の省エネ効果が得られる。さらに、報知手段４０８が報知する報知情報が示すメッセージに洗濯物を干す場所を示唆するメッセージ、例えば「浴室乾燥機が動作しています。洗濯だけにして、浴室で洗濯物を干しては如何でしょうか。」を加えてもよい。
【００８３】
また、複数の空気調和機があってもよい。一例として、複数の空気調和機がある場合には、洗濯乾燥機制御部２０８はネットワーク３０２を介して、各空気調和機の室内に存する温度センサから各部屋の室内温度を表わす室内温度情報を取得する。各部屋の室内温度を比較し、最も高い室内温度の部屋を判定する。そして室内温度として、最も室内温度の高い部屋の室内温度に基づいて、運転情報を設定する。そして、運転情報が「部屋干し」が設定された場合、例えば、報知情報が示すメッセージにさらに、最も室内温度が高い部屋を案内するメッセージを加える。この場合、室内温度が最も高い部屋の室内温度で運転情報を設定でき、当該部屋で部屋干しが可能になる。
【００８４】
さらに、空気のホコリを検知するホコリセンサを備えた空気調和機から室内の空気のホコリの濃度を表わすホコリ濃度情報を取得し、「部屋干し」する部屋をユーザに報知してもよい。ホコリセンサは、ホコリ、ダニの死骸、カビの胞子、花粉、タバコの煙、及びＰＭ２．５等の濃度を検知し、濃度を表わす情報を出力するセンサである。一例として、最も高い室内温度を示す部屋が複数ある場合に、ホコリ濃度が最も低い部屋を「部屋干し」する部屋としてユーザに報知する。ホコリ濃度情報が示す濃度が最も低い部屋を報知することで、洗濯物がホコリなどによって汚れることを抑止し得る。
【符号の説明】
【００８５】
１００・・・洗濯乾燥機、１０１・・・筐体、１０２・・・蓋、１０３・・・操作パネル、１０４・・・操作部、１０５・・・表示部、２０１・・・水槽、２０２・・・洗濯脱水槽、２０３・・・パルセータ、２０４・・・モータ、２０５・・・乾燥ユニット、２０６・・・ヒータ、２０７・・・送風機、２０８・・・洗濯乾燥機制御部、２０９・・・吸込口、２１０・・・吹出口、３０１・・・空気調和機、３０２・・・ネットワーク、３０４・・・通信部、３０５・・・記憶部、３０６・・・音声報知部、３０７・・・空気調和機制御部、３０８・・・通信部、３０９・・・ＰＭ２．５センサ、３１０・・・外気湿度センサ、３１１・・・室内温度センサ、３１２・・・室外温度センサ、４０１・・・情報取得判定手段、４０２・・・時刻情報取得判定手段、４０３・・・外気湿度取得判定手段、４０４・・・室内外温度取得判定手段、４０５・・・省エネモード判定手段、４０７・・・運転情報設定手段、４０８・・・報知手段、４０９・・・入力キー判定手段、４１０・・・洗濯乾燥手段、５０１・・・気象サーバ、５０２・・・気象サーバ制御部、５０３・・・通信部、５０４・・・記憶部、６０１・・・天気情報取得判定手段
【図１】
2020092884.tif 000003
【図２】
2020092884.tif 000004
【図３】
2020092884.tif 000005
【図４】
2020092884.tif 000006
【図５】
2020092884.tif 000007
【図６】
2020092884.tif 000008
【図７】
2020092884.tif 000009
【図８】
2020092884.tif 000010
【図９】
2020092884.tif 000011
【図１０】
2020092884.tif 000012
【図１１】
2020092884.tif 000013
【図１２】
2020092884.tif 000014